(57)【要約】      （修正有）【課題】ユーザの購買意欲をより高めることができる電子広告装置を提供する。【解決手段】広告を表示する電子広告装置１において、カメラ部１１は、広告を視聴するユーザの年齢、または、性別の少なくとも一方の情報を取得する年齢・性別情報取得手段と、ユーザの行動に関する情報を取得する行動情報取得手段とを備える。広告選択システム１７は、年齢・性別情報取得手段が取得した情報に基づいて、表示する広告を選択する第１の広告選択手段と、行動情報取得手段が取得した情報に基づいて、表示する広告を選択する第２の広告選択手段と、を備える。【選択図】図１
2020190907.tif 000002
【特許請求の範囲】
【請求項１】
広告を表示する電子広告装置において、
前記広告を視聴するユーザの年齢、または、性別の少なくとも一方の情報を取得する年齢・性別情報取得手段と、
前記ユーザの行動に関する情報を取得する行動情報取得手段と、
前記年齢・性別情報取得手段が取得した情報に基づいて、表示する広告を選択する第１の広告選択手段と、
前記行動情報取得手段が取得した情報に基づいて、表示する広告を選択する第２の広告選択手段と、
を備えることを特徴とする電子広告装置。
【請求項２】
前記年齢・性別情報取得手段及び前記行動情報取得手段は、前記ユーザを撮像するカメラであることを特徴とする請求項１に記載の電子広告装置。
【請求項３】
前記年齢・性別情報取得手段が取得した情報、または、前記行動情報取得手段が取得した情報の少なくとも一方に基づき、購買の効果を計測する購買効果計測手段を更に備えることを特徴とする請求項１または２に記載の電子広告装置。
【請求項４】
広告を表示する電子広告装置において、
前記広告を視聴するユーザの年齢、または、性別の少なくとも一方の情報を取得する第１の取得手段と、
前記ユーザが、前記広告を視聴した回数の情報を取得する第２の取得手段と、
前記ユーザが、静止状態で前記広告を視聴した回数の情報を取得する第３の取得手段と、
前記ユーザが、前記広告を視聴した時間の情報を取得する第４の取得手段と、
前記広告を視聴した前記ユーザが、手に取った商品、または、購買した商品の情報を取得する第５の取得手段と、
前記第１の取得手段が取得した情報に基づいて、表示する広告を選択する第１の広告選択手段と、
前記第２乃至第４の取得手段の少なくとも一つで取得した第１の情報と、前記第５の取得手段で取得した第２の情報との組み合わせに基づいて、表示する広告を選択する第２の広告選択手段と、
を備えることを特徴とする電子広告装置。
【請求項５】
前記第１乃至第５の取得手段は、前記ユーザを撮像するカメラであることを特徴とする請求項４に記載の電子広告装置。
【請求項６】
前記第１乃至第５の取得手段の少なくとも一つが取得した情報に基づき、購買の効果を計測する購買効果計測手段を更に備えることを特徴とする請求項４または５に記載の電子広告装置。
【請求項７】
広告を表示する電子広告システムにおいて、
前記広告を視聴するユーザの年齢、または、性別の少なくとも一方の情報を取得する年齢・性別情報取得手段と、
前記ユーザの行動に関する情報を取得する行動情報取得手段と、
前記年齢・性別情報取得手段が取得した情報に基づいて、表示する広告を選択する第１の広告選択手段と、
前記行動情報取得手段が取得した情報に基づいて、表示する広告を選択する第２の広告選択手段と、
を備えることを特徴とする電子広告システム。
【請求項８】
前記年齢・性別情報取得手段及び前記行動情報取得手段は、前記ユーザを撮像するカメラであることを特徴とする請求項７に記載の電子広告システム。
【請求項９】
前記年齢・性別情報取得手段が取得した情報、または、前記行動情報取得手段が取得した情報の少なくとも一方に基づき、購買の効果を計測する購買効果計測手段を更に備えることを特徴とする請求項７または８に記載の電子広告システム。
【請求項１０】
広告を表示する電子広告システムにおいて、
前記広告を視聴するユーザの年齢、または、性別の少なくとも一方の情報を取得する第１の取得手段と、
前記ユーザが、前記広告を視聴した回数の情報を取得する第２の取得手段と、
前記ユーザが、静止状態で前記広告を視聴した回数の情報を取得する第３の取得手段と、
前記ユーザが、前記広告を視聴した時間の情報を取得する第４の取得手段と、
前記広告を視聴した前記ユーザが、手に取った商品、または、購買した商品の情報を取得する第５の取得手段と、
前記第１の取得手段が取得した情報に基づいて、表示する広告を選択する第１の広告選択手段と、
前記第２乃至第４の取得手段の少なくとも一つで取得した第１の情報と、前記第５の取得手段で取得した第２の情報との組み合わせに基づいて、表示する広告を選択する第２の広告選択手段と、
を備えることを特徴とする電子広告システム。
【請求項１１】
前記第１乃至第５の取得手段は、前記ユーザを撮像するカメラであることを特徴とする請求項１０に記載の電子広告システム。
【請求項１２】
前記第１乃至第５の取得手段の少なくとも一つが取得した情報に基づき、購買の効果を計測する購買効果計測手段を更に備えることを特徴とする請求項１０または１１に記載の電子広告システム。
【発明の詳細な説明】
【技術分野】
【０００１】
本発明は、本発明は、小規模店舗や大型量販店、複合総合施設、公共施設等に訪れたユーザに各種情報を提示する電子広告装置及び電子広告システムに関する。
【背景技術】
【０００２】
近年、各種交通機関や屋内外のオープンスペース、公共空間など、およそ人が行き交い、集まる場所には、大型のディスプレイパネルなどの電子的な表示手段が設置され、人々に様々な情報を発信している光景がよく見られるようになってきている。このような電子的な情報提示方法（電子看板）は「デジタルサイネージ」と呼ばれ、ディスプレイの大型化、低価格化、インターネット回線の高速化、広範化などの後押しを受けて急速に市場を形成しつつあり、インターネット時代の新たな広告手段として更なる市場規模の拡大に大きな期待が寄せられている（例えば、特許文献１参照）。
【先行技術文献】
【特許文献】
【０００３】
【特許文献１】特開２０１２−１４６０２号公報
【発明の概要】
【発明が解決しようとする課題】
【０００４】
従来のデジタルサイネージは、広告主が提供する商品や役務に関する情報の提供や店舗案内等を主な目的とするものであった。しかし、デジタルサイネージの設置場所が店舗の場合、不特定多数の来場者（ユーザ）に対して広告を行うため、個別の来場者のニーズに的確に応えることができず、ユーザの購買意欲を十分高めることができなかった。また、店舗によっては十分な数の店員を配置することができない場合もあり、デジタルサイネージを配置できたとしても、店舗において取り扱う商品や役務について店員が十分な知識を有していないことも多く、店舗側としては必ずしも来場者に対して十分なサービスを提供できず、ユーザの購買意欲を十分高めることができなかった。  
【０００５】
本発明は、ユーザの購買意欲をより高めることができる電子広告装置及び電子広告システムを提供することを目的とする。
【課題を解決するための手段】
【０００６】
請求項１に記載の発明の電子広告装置は、広告を表示する電子広告装置において、前記広告を視聴するユーザの年齢、または、性別の少なくとも一方の情報を取得する年齢・性別情報取得手段と、前記ユーザの行動に関する情報を取得する行動情報取得手段と、前記年齢・性別情報取得手段が取得した情報に基づいて、表示する広告を選択する第１の広告選択手段と、前記行動情報取得手段が取得した情報に基づいて、表示する広告を選択する第２の広告選択手段と、を備えることを特徴とする。
【０００７】
請求項２に記載の発明の電子広告装置は、請求項１に記載の電子広告装置であって、前記年齢・性別情報取得手段及び前記行動情報取得手段は、前記ユーザを撮像するカメラであることを特徴とする。
【０００８】
請求項３に記載の発明の電子広告装置は、請求項１または２に記載の電子広告装置であって、前記年齢・性別情報取得手段が取得した情報、または、前記行動情報取得手段が取得した情報の少なくとも一方に基づき、購買の効果を計測する購買効果計測手段を更に備えることを特徴とする。
【０００９】
請求項４に記載の発明の電子広告装置は、広告を表示する電子広告装置において、前記広告を視聴するユーザの年齢、または、性別の少なくとも一方の情報を取得する第１の取得手段と、前記ユーザが、前記広告を視聴した回数の情報を取得する第２の取得手段と、前記ユーザが、静止状態で前記広告を視聴した回数の情報を取得する第３の取得手段と、前記ユーザが、前記広告を視聴した時間の情報を取得する第４の取得手段と、前記広告を視聴した前記ユーザが、手に取った商品、または、購買した商品の情報を取得する第５の取得手段と、前記第１の取得手段が取得した情報に基づいて、表示する広告を選択する第１の広告選択手段と、前記第２乃至第４の取得手段の少なくとも一つで取得した第１の情報と、前記第５の取得手段で取得した第２の情報との組み合わせに基づいて、表示する広告を選択する第２の広告選択手段と、を備えることを特徴とする。
【００１０】
請求項５に記載の発明の電子広告装置は、請求項４に記載の電子広告装置であって、前記第１乃至第５の取得手段は、前記ユーザを撮像するカメラであることを特徴とする。
【００１１】
請求項６に記載の発明の電子広告装置は、請求項４または５に記載の電子広告装置であって、前記第１乃至第５の取得手段の少なくとも一つが取得した情報に基づき、購買の効果を計測する購買効果計測手段を更に備えることを特徴とする。
【００１２】
請求項７に記載の発明の電子広告システムは、広告を表示する電子広告システムにおいて、前記広告を視聴するユーザの年齢、または、性別の少なくとも一方の情報を取得する年齢・性別情報取得手段と、前記ユーザの行動に関する情報を取得する行動情報取得手段と、前記年齢・性別情報取得手段が取得した情報に基づいて、表示する広告を選択する第１の広告選択手段と、前記行動情報取得手段が取得した情報に基づいて、表示する広告を選択する第２の広告選択手段と、を備えることを特徴とする。
【００１３】
請求項８に記載の発明の電子広告システムは、請求項７に記載の電子広告システムであって、前記年齢・性別情報取得手段及び前記行動情報取得手段は、前記ユーザを撮像するカメラであることを特徴とする。
【００１４】
請求項９に記載の発明の電子広告システムは、請求項７または８に記載の電子広告システムであって、前記年齢・性別情報取得手段が取得した情報、または、前記行動情報取得手段が取得した情報の少なくとも一方に基づき、購買の効果を計測する購買効果計測手段を更に備えることを特徴とする。
【００１５】
請求項１０に記載の発明の電子広告システムは、広告を表示する電子広告システムにおいて、前記広告を視聴するユーザの年齢、または、性別の少なくとも一方の情報を取得する第１の取得手段と、前記ユーザが、前記広告を視聴した回数の情報を取得する第２の取得手段と、前記ユーザが、静止状態で前記広告を視聴した回数の情報を取得する第３の取得手段と、前記ユーザが、前記広告を視聴した時間の情報を取得する第４の取得手段と、前記広告を視聴した前記ユーザが、手に取った商品、または、購買した商品の情報を取得する第５の取得手段と、前記第１の取得手段が取得した情報に基づいて、表示する広告を選択する第１の広告選択手段と、前記第２乃至第４の取得手段の少なくとも一つで取得した第１の情報と、前記第５の取得手段で取得した第２の情報との組み合わせに基づいて、表示する広告を選択する第２の広告選択手段と、を備えることを特徴とする。
【００１６】
請求項１１に記載の発明の電子広告システムは、請求項１０に記載の電子広告システムであって、前記第１乃至第５の取得手段は、前記ユーザを撮像するカメラであることを特徴とする。
【００１７】
請求項１２に記載の発明の電子広告システムは、請求項１０または１１に記載の電子広告システムであって、前記第１乃至第５の取得手段の少なくとも一つが取得した情報に基づき、購買の効果を計測する購買効果計測手段を更に備えることを特徴とする。
【発明の効果】
【００１８】
本発明における電子広告システムによってユーザの購買意欲をより高めることができるようになった。
【図面の簡単な説明】
【００１９】
【図１】本発明の実施の形態にかかる電子広告装置及びこれに接続する装置を示すブロック図である。
【図２】本発明の実施の形態にかかる電子広告装置のカメラを示す説明図である。
【図３】本発明の実施の形態にかかる電子広告装置及び商品陳列棚の斜視図である。
【図４】本発明の実施の形態にかかる電子広告装置の広告選択表示処理を示すフローチャートである。
【図５】本発明の実施の形態にかかる電子広告装置の取得データを示す説明図である。
【図６】本発明の実施の形態にかかる電子広告装置の稼働状態を示す説明図である。
【発明を実施するための形態】
【００２０】
＜本発明の実施の形態＞
以下、本発明の実施の形態にかかる電子広告装置及び電子広告システムを、図面に基づいて説明する。  ＜電子広告システムの全体構成＞  
【００２１】
まず、本実施の形態にかかる電子広告システムのシステム構成について説明する。図１は、本発明の実施の形態にかかる電子広告装置及びこれに接続する装置を示すブロック図である。図２は、本発明の実施の形態にかかる電子広告装置のカメラ部を示す説明図である。図３は、本発明の実施の形態にかかる電子広告装置及び商品陳列棚の斜視図である。図４は、本発明の実施の形態にかかる電子広告装置の広告選択表示処理を示すフローチャートである。図５は、本発明の実施の形態にかかる電子広告装置の取得データを示す説明図である。図６は、本発明の実施の形態にかかる電子広告装置の稼働状態を示す説明図である。  
【００２２】
図１に示すように、本実施の形態にかかる電子広告装置１は、デジタルサイネージであって、店舗端末２とデータの送受信が行えるようになっている。店舗端末２は、インターネット３を介して、本社サーバ４及びクラウドサーバ５とデータの送受信が行えるようになっている。電子広告装置１、店舗端末２、本社サーバ４及びクラウドサーバ５は、電子公告システム１００を構成している。  
【００２３】
電子広告装置１は、店舗（例えば、コンビニエンスストア）の商品陳列棚５１（図３参照）の上部に取付けられ、ユーザに対して宣伝を行うものである。  店舗端末２は、パーソナルコンピュータであり、店舗に設置され、販売に関する情報を少なくとも管理する。  
【００２４】
本社サーバ４及びクラウドサーバ５は、店舗端末２からの要求に応じて広告データ（映像データ、画像データ、音声データ等）を店舗端末２に送信する。  
【００２５】
店舗端末２、本社サーバ４及びクラウドサーバ５は、広告データのための広告素材（映像データ（動画）、画像データ（静止画）、音声データ）の入稿、販売促進実績の高い広告素材の自動最適配信、気温、天候、湿度、温度、時間帯に基づく広告素材の自動配信が可能になっている。  
【００２６】
店舗端末２は、電子広告装置１からの要求に応じて広告データ（映像データ、画像データ、音声データ等）を電子広告装置１に送信する。  
【００２７】
次に、電子広告装置１について詳細に説明する。  
【００２８】
電子広告装置１は、カメラ１１と、カメラ制御部１２と、画像認識システム１３と、画像保管データベース（画像保管ＤＢ）１４と、画像管理システム１５と、購買効果計測システム１６と、広告選択システム１７と、広告保管データベース（広告保管ＤＢ）１８と、通信部１９と、液晶パネル駆動部２０と、液晶パネル２１と、音声出力回路２２と、左右のスピーカ２３Ｌ、２３Ｒとにより構成されている。  
【００２９】
カメラ１１は、電子広告装置１の筐体６１（図３参照）の上部に配置され、ユーザ７０（図６参照）の撮影を行う。  
【００３０】
カメラ制御部１２は、カメラ１１の撮像素子の駆動制御を行い、カメラ１１が撮影した画像による画像データを画像認識システム１３に入力する。  
【００３１】
画像保管データベース１４は、カメラ１１及びカメラ制御部１２で撮影した画像による画像データを保管するデータベースである。  
【００３２】
画像認識システム１３は、カメラ制御部１２で継続的に撮影された画像から、継続的に顔を検出し、検出された顔の特徴量を計算して、その値に応じて人物ごとに顔を分類する。顔の検出のインターバルは任意に設定されうる。また、画像認識システム１３は、分類された顔ごとに、顔が検出されてから現在まで経過した時間を測定し、その時間に応じて、検出分類された顔から、ユーザの年齢及び性別の情報を取得する。なお、画像からの顔検出の方法は公知のものが適用でき、一例として、顔輪郭検出、肌色領域検出、顔パーツ検出などが挙げられる。また、画像認識システム１３は、前記ユーザの上半身の画像から、当該ユーザが、前記広告を視聴した回数の情報を取得し、前記ユーザが、静止状態で前記広告を視聴した回数の情報を取得し、前記ユーザが、前記広告を視聴した時間の情報を取得し、前記広告を視聴した前記ユーザが、手に取った商品、または、購買した商品の情報を取得する。  
【００３３】
画像管理システム１５は、画像認識システム１３によってユーザと判定された顔の特徴量その他のユーザに関する情報（ユーザの年齢及び性別の情報、広告を視聴した回数の情報、静止状態で前記広告を視聴した回数の情報、前記広告を視聴した時間の情報、手に取った商品、または、購買した商品の情報等）を画像保管ＤＢ１４に新規保存したり、更新したりするなどの各種管理を行う。  
【００３４】
また、画像認識システム１３は、ユーザに関する情報を購買効果計測システム１６、広告選択システム１７及び通信部１９に送信する。  
【００３５】
購買効果計測システム１６は、画像認識システム１３から受信したユーザに関する情報に基づいて、購買効果を計測し、計測した購買効果の情報を通信部１９に送信する。  
【００３６】
通信部１９は、画像認識システム１３から受信したユーザに関する情報と、購買効果計測システム１６から受信した購買効果の情報を店舗端末２に送信する。  
【００３７】
店舗端末２は、通信部１９から受信したユーザに関する情報及び購買効果の情報を、記憶保存するとともに、インターネット３を介して本社サーバ４及びクラウドサーバ５に送信する。  
【００３８】
本社サーバ４及びクラウドサーバ５は、受信したユーザに関する情報及び購買効果の情報を記憶保存する。  
【００３９】
店舗端末２、本社サーバ４及びクラウドサーバ５により保存されたユーザに関する情報及び購買効果の情報は、これらの機器を所有する組織の関係者により閲覧され、ユーザに対する各種サービス（広告メールの送信、販売計画の策定、接客等）に用いられることになる。  
【００４０】
広告選択システム１７は、店舗端末２による入力操作に基づいて広告選択モードとして、モードＡとモードＢを選択できるようになっている。  
【００４１】
広告選択システム１７は、広告選択モードと、画像認識システム１３から受信したユーザに関する情報とに基づいて所望の種類の広告データを選択し、選択した広告データを要求するコマンドを通信部１９に送信する。通信部１９は、広告選択システム１７からのコマンドを店舗端末２に送信する。  
【００４２】
店舗端末２は、通信部１９から受信した広告データを要求するコマンドを、インターネット３を介して本社サーバ４及びクラウドサーバ５に送信する。  店舗端末２は、電子広告装置１で表示する広告データ（映像データ、画像データ、音声データ等）を複数種類有しており、これらの広告データを、電子広告装置１の通信部１９からのコマンドに基づいて、電子広告装置１に向けて送信するようになっている。  
【００４３】
店舗端末２、本社サーバ４及びクラウドサーバ５は、電子広告装置１で表示する広告データ（映像データ、画像データ、音声データ等）を複数種類有しており、これらの広告データを、電子広告装置１の通信部１９から店舗端末２及びインターネット３を介して送信されるコマンドに基づいて、インターネット３及び店舗端末２を介して電子広告装置１に送信するようになっている。  
【００４４】
広告選択システム１７は、通信部１９から受信した広告データを広告保管ＤＢ１８に保存するとともに、受信した広告データにおける映像データまたは画像データを液晶駆動部２０に送信して、液晶駆動部２０により液晶パネル２１に表示させる。  
【００４５】
また、広告選択システム１７は、受信した広告データにおける音声データを音声出力回路２２に送信して、音声出力回路２２により左右のスピーカ２３Ｌ、２３Ｒに音声表示させる。  
【００４６】
カメラ１１、カメラ制御部１２及び画像認識システム１３は、図２に示すカメラ部１０を構成している。
図２に示すように、カメラ部１０は、前記広告を視聴するユーザの年齢、又は、性別の少なくとも一方を取得する年齢・性別取得手段(第１の取得手段)３１と、前記ユーザが、前記広告を視聴した回数を取得する視聴回数取得手段(第２の取得手段)３２と、前記ユーザが、静止状態で視聴した回数を取得する可視回数取得手段(第３の取得手段)３３と、前記ユーザが、前記広告を視聴した時間を取得する視聴時間取得手段(第４の取得手段)３４と、前記広告を視聴した前記ユーザが、手に取った商品、又は、購買した商品の情報を取得する商品情報取得手段(第５の取得手段)３５とを備える。
【００４７】
＜電子広告装置の設置方法＞
次に、図３を用いて電子広告装置１の設置方法について説明する。
図３において、店舗内には、複数の商品陳列棚５１（５１ａ、５１ｂ）が並べて設置せれている。商品陳列棚５１（５１ａ、５１ｂ）には、各種商品５３ａ、５３ｂ、５４ａ、５４ｂが棚板５２の上に陳列されている。
【００４８】
商品陳列棚５１（５１ａ、５１ｂ）の上部には、電子広告装置１（１ａ、１ｂ）が取り付けられている。電子広告装置１（１ａ、１ｂ）は、横長の長方形パネル型の筐体６１の正面に液晶パネル２１を設けている。筐体６１の正面の液晶パネル２１より上側に、カメラ１を設けている。筐体６１の正面の液晶パネル２１より下側の左右には、音声を通過させる複数の孔６２Ｌ、６２Ｒが設けられ。孔６２Ｌ、６２Ｒの内側には、左右のスピーカ２３Ｌ、２３Ｒ（図１参照）が設けられている。  
【００４９】
＜電子広告装置の広告選択制御処理＞
次に、図４を用いて電子広告装置１の広告選択制御処理について説明する。
ステップＳ１において、電子広告装置１の画像認識システム１３は、カメラ１１からカメラ制御部１２を介して画像データを取得し、画像データが示す画像に対してユーザであるか否かの判定を行い、ユーザと判定された顔の特徴量その他のユーザに関する情報（ユーザの年齢及び性別の情報、広告を視聴した回数の情報、静止状態で前記広告を視聴した回数の情報、前記広告を視聴した時間の情報、手に取った商品、または、購買した商品の情報等）を取得する。  
【００５０】
次に、ステップＳ２において、広告選択システム１７は、店舗端末２による入力操作に基づいて選択された広告選択モードとして、モードＡであるかを判別する。広告選択システム１７は、モードＡが選択されている場合、ステップＳ３の処理に移行し、モードＡが選択されている場合、ステップＳ４の処理に移行する。  広告選択システム１７は、ステップＳ３において、モードＡで広告を選択し、該当する広告の広告データを要求するコマンドを通信部１９に送信する。通信部１９は、広告選択システム１７からのコマンドを店舗端末２に送信し、ステップＳ５の処理に移行する。モードＡでは、ユーザの年齢、または、性別の少なくとも一方の情報に基づいて所望の広告を選択する。店舗端末２は、通信部１９から受信した広告データを要求するコマンドを、インターネット３を介して本社サーバ４及びクラウドサーバ５に送信する。  
【００５１】
広告選択システム１７は、ステップＳ４において、モードＢで広告を選択し、該当する広告の広告データを要求するコマンドを通信部１９に送信する。通信部１９は、広告選択システム１７からのコマンドを店舗端末２に送信し、ステップＳ５の処理に移行する。モードＢでは、広告を視聴した回数の情報、静止状態で前記広告を視聴した回数の情報、前記広告を視聴した時間の情報の少なくとも一つの情報となる第１の情報と、手に取った商品、または、購買した商品の情報となる第２の情報との組み合わせに基づいて、所望の広告を選択する。店舗端末２は、通信部１９から受信した広告データを要求するコマンドを、インターネット３を介して本社サーバ４及びクラウドサーバ５に送信する。  
【００５２】
店舗端末２、本社サーバ４及びクラウドサーバ５は、広告データを要求するコマンドを受信すると・当該コマンドに基づいて広告データを選択して、電子広告装置１の通信部１９に送信する。通信部１９は、店舗端末２、本社サーバ４及びクラウドサーバ５から広告データを受信すると、当該広告データを広告選択システム１７に送信する。  
【００５３】
広告選択システム１７は、ステップＳ５において、通信部１９を介して店舗端末２、本社サーバ４及びクラウドサーバ５の何れかから受信した広告データにおける映像データまたは画像データを液晶駆動部２０に送信して、液晶駆動部２０により液晶パネル２１に表示させる。また、広告選択システム１７は、通信部１９を介して店舗端末２、本社サーバ４及びクラウドサーバ５の何れかから受信した広告データにおける音声データを音声出力回路２２に送信して、音声出力回路２２により左右のスピーカ２３Ｌ、２３Ｒに音声表示させる。  
【００５４】
＜ユーザに関わる情報のデータ構成＞  図５は、画像認識システム１３が取得したユーザに関わる情報のデータ構成を示す説明図である。ユーザに関わる情報には、個別のＩＤが与えられ、これらのＩＤに紐付して、ユーザが注視したか否か（「注視」の項目に記載）、「注視開始時間」、「注視時間」、「年齢」、「性別」…が記録される。  
【００５５】
＜電子広告装置の稼働状態を＞  次に、図６を用いて電子広告装置１の稼働状態を説明する。  図６に示すように、ユーザ７０が陳列棚５１（５１ａ）の前に来て、商品５３ａを物色した場合、電子広告装置１（１ａ）のカメラ１１によりユーザ７０の上半身が撮像され、図４に示す処理が実効される。これにより、ユーザ７０に関わる情報に基づいて選択された広告データにおける映像データまたは画像データが液晶パネル２１に広告画像６３として表示され、広告データにおける音声データが左右のスピーカ２３Ｌ、２３Ｒに音声出力される。  
【００５６】
以下、このような本発明の実施の形態の構成及び作用を纏めて説明すると、電子広告装置１は、広告を表示する電子広告装置において、前記広告を視聴するユーザの年齢、または、性別の少なくとも一方の情報を取得する年齢・性別情報取得手段(第１の取得手段)３１と、前記ユーザの行動に関する情報を取得する行動情報取得手段（視聴回数取得手段(第２の取得手段)３２、可視回数取得手段(第３の取得手段)３３、視聴時間取得手段(第４の取得手段)３４、商品情報取得手段(第５の取得手段)３５）と、前記年齢・性別情報取得手段が取得した情報に基づいて、表示する広告を選択する第１の広告選択手段（広告選択システム１７のステップS３を実行する回路及びプログラム）と、前記行動情報取得手段が取得した情報に基づいて、表示する広告を選択する第２の広告選択手段（広告選択システム１７のステップS４を実行する回路及びプログラム）と、を備える。
【００５７】
前記年齢・性別情報取得手段及び前記行動情報取得手段は、前記ユーザを撮像するカメラ（カメラ部１０）である。
電子広告装置１は、前記年齢・性別情報取得手段が取得した情報、または、前記行動情報取得手段が取得した情報の少なくとも一方に基づき、購買の効果を計測する購買効果計測手段（購買効果計測システム１６）を備える。
【００５８】
電子広告装置１は、広告を表示する電子広告装置において、前記広告を視聴するユーザの年齢、または、性別の少なくとも一方の情報を取得する年齢・性別情報取得手段(第１の取得手段)３１と、前記ユーザが、前記広告を視聴した回数の情報を取得する行動情報取得手段（視聴回数取得手段(第２の取得手段)３２と、前記ユーザが、静止状態で前記広告を視聴した回数の情報を取得する可視回数取得手段(第３の取得手段)３３と、前記ユーザが、前記広告を視聴した時間の情報を取得する視聴時間取得手段(第４の取得手段)３４と、前記広告を視聴した前記ユーザが、手に取った商品、または、購買した商品の情報を取得する商品情報取得手段(第５の取得手段)３５と、前記第１の取得手段が取得した情報に基づいて、表示する広告を選択する第１の広告選択手段（広告選択システム１７のステップS３を実行する回路及びプログラム）と、前記第２乃至第４の取得手段の少なくとも一つで取得した第１の情報と、前記第５の取得手段で取得した第２の情報との組み合わせに基づいて、表示する広告を選択する第２の広告選択手段（広告選択システム１７のステップS４を実行する回路及びプログラム）と、を備えることを特徴とする。
【００５９】
前記第１乃至第５の取得手段は、前記ユーザを撮像するカメラ（カメラ部１０）である。
【００６０】
電子広告装置１は、前記第１乃至第５の取得手段の少なくとも一つが取得した情報に基づき、購買の効果を計測する購買効果計測手段（購買効果計測システム１６）を更に備える。
【００６１】
このような本発明の実施の形態の電子広告装置１によれば、ユーザの年齢、または、性別の少なくとも一方の情報に基づいて、表示する広告を選択するとともに、前記ユーザの行動に関する情報に基づいて、表示する広告を選択するので、ユーザの購買意欲をより高めることができるようになる。
【００６２】
また、電子広告装置１によれば、前記年齢・性別情報取得手段が取得した情報、または、前記行動情報取得手段が取得した情報の少なくとも一方に基づき、購買の効果を計測するので、この計測結果に基づいてユーザに対してサービスを行うことで、ユーザの購買意欲をより高めることができるようになる。  
【００６３】
尚、図１及び図６に示した実施の形態において、表示する広告を選択する第１及び第２の広告選択手段は、デジタルサイネージである電子広告装置１に設けたが、第１及び第２の広告選択手段は、店舗端末２、本社サーバ４及びクラウドサーバ５の何れかに設けるようにしてもよい。
【００６４】
また、図１及び図６に示した実施の形態において、購買効果計測手段は、電子広告装置１に設けたが、購買効果計測手段は、店舗端末２、本社サーバ４及びクラウドサーバ５の何れかに設けるようにしてもよい。
【００６５】
また、図１及び図６に示した実施の形態において、画像保管データベース１４が、カメラ１１及びカメラ制御部１２で撮影した画像による画像データを保管するように構成したが、個人情報の保護や肖像権の問題を考慮し、画像保管データベース１４を設けず、画像認識システム１３が、カメラ制御部１２からの画像データからユーザの年齢等の各種情報を取得した後に、当該画像データを消去する構成としてもよい。
【００６６】
電子広告装置１に表示する広告データは、店舗端末２、本社サーバ４及びクラウドサーバ５の少なくとも一つにもう記憶しておけばよく、電子広告装置１がデータの送受信を行う機器も、店舗端末２、本社サーバ４及びクラウドサーバ５の少なくとも一つであればよい。
【００６７】
電子広告装置１の設置場所は、陳列棚の上部に限らず、陳列棚の横、冷蔵庫の上等、各種適用可能である。
【００６８】
本発明の、システム、手段、方法、などは、本発明の要旨を変更しない範囲で、様々に変更可能である。
【００６９】
例えば、広告素材を入力する入力手段も、パソコン、携帯端末等を自由に選択することが可能である。
【００７０】
例えば、２つ以上のシステムを１つにすることも可能であるし、逆に、１つのシステムを２つ以上の別のシステムから構成して接続することも可能である。
また、上記実施の形態は、あくまでも、現在のところの最良の形態の１つにすぎない。
【符号の説明】
【００７１】
１        ：電子広告装置
２        ：店舗端末
３        ：インターネット
４        ：本社サーバ
５        ：クラウドサーバ
１１      ：カメラ
１２      ：カメラ制御部
１３      ：画像認識システム
１４      ：画像保管データベース（画像保管ＤＢ）
１５      ：画像管理システム
１６      ：購買効果計測システム１７      ：広告選択システム１８      ：広告保管データベース（広告保管ＤＢ）１９      ：通信部２０      ：液晶パネル駆動部２１      ：液晶パネル２２      ：音声出力回路２３Ｌ、２３Ｒ      ：左右のスピーカ
【図１】
2020190907.tif 000003
【図２】
2020190907.tif 000004
【図３】
2020190907.tif 000005
【図４】
2020190907.tif 000006
【図５】
2020190907.tif 000007
【図６】
2020190907.tif 000008